(57)【特許請求の範囲】
【請求項１】
略直方体状をなした箱体があって、この箱体の内部に避難はしごを収納させる避難はしご用収納ケースにおいて、上記箱体の天板と、前板を上下間にて分割して同天板に連接させた上部前板と、左右の側板を上下間にて分割して同上部前板および上記天板に連接させた左右の上部側板とを少なくとも有する踏み台となる蓋部と、同蓋部が取り外し可能な状態で装着され、上記箱体の底板と、同底板に連接させた下部前板と、同下部前板および上記底板に連接させた左右の下部側板と、背板とを有するケース本体部とを設けたことを特徴とする避難はしご用収納ケース。
【請求項２】
上記背板を、上記天板の後端位置まで延設させたことを特徴とする請求項１記載の避難はしご用収納ケース。
【請求項３】
上記天板の上端縁から下方に折曲する係止片を設けるとともに、この係止片が係合するように上記背板の上端部を屈曲させて形成された凹段部を設けたことを特徴とする請求項２記載の避難はしご用収納ケース。
【請求項４】
上記背板に壁との間に一定の隙間を確保する突部を設けたことを特徴とする請求項３記載の避難はしご用収納ケース。
【請求項５】
上記蓋部の左右端面が当接する上記ケース本体部の背板側の左右縁部近傍に、同蓋部、同ケース本体部の当接面に対して交差する方向に起立して避難はしごへの浸水を防止する浸水防止片を設けたことを特徴とする請求項２記載の避難はしご用収納ケース。
【請求項６】
上記ケース本体部の底板が、その表面との間に所定の距離をもって避難はしごを載置させる載置部を有していることを特徴とする請求項１記載の避難はしご用収納ケース。
【請求項７】
上記載置部を、上記避難はしごが箱体の背面側に向けて傾くように形成されたことを特徴とする請求項６記載の避難はしご用収納ケース。
【請求項８】
上記底板が、上記載置部を表面から浮かした状態にて固定させる固定突部を有していることを特徴とする請求項６または請求項７記載の避難はしご用収納ケース。
【請求項９】
上記固定突部を、上記底板に一体形成するとともに、上記載置部を係合させる係合孔を設けて、同載置部に、同係合孔に係合される被係合突部を設けたことを特徴とする請求項８記載の避難はしご用収納ケース。
【発明の詳細な説明】
【０００１】
【発明の属する技術分野】
本発明は、避難はしご用収納ケースに関し、具体的には、避難時に踏み台としても利用することができる避難はしご用収納ケースに関するものである。
【０００２】
【従来の技術】
従来から、旅館、学校等の業務用施設、あるいは所定の大きさ以上の床面積を有する事務所には、消防法にて避難設備として避難はしごの設置が義務づけられていたものであった。この避難はしごとして、平素は、図１１の（ａ）に示すような避難はしご用収納ケースＡ内に折り畳んで収納されており、避難する必要の生じた緊急時には、その避難はしご用収納ケースＡから取り出して、建物の堅固な窓枠、あるいはベランダの手すりに避難はしご１０の上端部の吊り下げ金具１０ａを引っ掛け、伸張させて使用するものがある。
【０００３】
この場合、避難はしご１０は、図１１の（ｂ）に示すように、避難はしご用収納ケースＡのケース本体部Ｂ上面となる、後端がケース本体部Ｂの上縁部に軸支された蓋部Ｃを開放させ、上方へ引き上げて取り出して使用する。したがって、通常は小型に収納されて生活空間において邪魔にならず、緊急時に使用可能な状態とさせて、効果的に人が避難することができる。
【０００４】
【発明が解決しようとする課題】
ところで、このような避難はしご用収納ケースとしては、略直方体状の箱体の高さが大略４００ｍｍ程度であり、避難時において窓枠あるいはバルコニー等の手すりの高さが高く（通常は８００ｍｍ〜１２００ｍｍ程度）、乗り越えにくい場合においても、ケース本体部Ｂを踏み台として利用して避難することが可能である。しかしながら、一方で、このような避難はしご用収納ケースは、通常時において、子供がいたずらで簡単にケース本体部Ｂに乗ることができ、このケース本体部Ｂに乗って子供が遊んだりすることがあり、このような点で問題であった。
【０００５】
本発明は、上述の問題を解決するためになされたものであって、その目的とするところは、通常時に子供がいたずらで乗って遊んだりするのを防止することができる避難はしご用収納ケースを提供するものである。
【０００６】
【課題を解決するための手段】
本発明の請求項１に係る避難はしご用収納ケースは、避難時においては踏み台として利用できて、かつ、通常時には子供がいたずらで乗って遊んだりすることを防止するために、略直方体状をなした箱体があって、この箱体の内部に避難はしごを収納させる避難はしご用収納ケースにおいて、上記箱体の天板と、前板を上下間にて分割して同天板に連接させた上部前板と、左右の側板を上下間にて分割して同上部前板および上記天板に連接させた左右の上部側板とを少なくとも有する踏み台となる蓋部と、同蓋部が取り外し可能な状態で装着され、上記箱体の底板と、同底板に連接させた下部前板と、同下部前板および上記底板に連接させた左右の下部側板と、背板とを有するケース本体部とを設けたことを特徴としている。
【０００７】
この構成にて、略直方体状をもった避難はしご用収納ケースの、箱体の底板と、前板を上下間にて分割して同底板に連接させた下部前板と、左右の側板を上下間にて分割し同下部前板および上記底板に連接させた左右の下部側板と、背板とを有するケース本体部から、天板と、上部前板と、同上部前板および上記天板に連接させた左右の上部側板とを少なくとも有する蓋部が取り除かれ、内部に収納された避難はしごが使用されるものである。
【０００８】
そして、本発明の請求項２に係る避難はしご用収納ケースのように、上記背板を、上記天板の後端位置まで延設させることが好ましいものである。この場合、避難はしごは、底板からケース本体部の天板の後端位置まで延設された背板をもったケース本体部に収容されて蓋部を装着されるものである。
【０００９】
また、本発明の請求項３に係る避難はしご用収納ケースのように、上記天板の上端縁から下方に折曲する係止片を設けるとともに、この係止片が係合するように上記背板の上端部を屈曲させて形成された凹段部を設けることが好ましいものである。この場合、蓋部の上端縁から下方に折曲する係止片がケース本体部の背板の上端部を屈曲させて形成された凹段部に係合するものである。
【００１０】
また、本発明の請求項４に係る避難はしご用収納ケースのように、上記背板に壁との間に一定の隙間を確保する突部を設けることが好ましいものである。この場合、背板に設けた突部により、背板と壁との間に一定の隙間を確保するものである。
【００１１】
また、本発明の請求項５に係る避難はしご用収納ケースのように、上記蓋部の左右端面が当接する上記ケース本体部の背板側の左右縁部近傍に、同蓋部、同ケース本体部の当接面に対して交差する方向に起立して避難はしごへの浸水を防止する浸水防止片を設けることが好ましいものである。この場合、蓋部、ケース本体部の当接面に対して交差する方向に起立する浸水防止片にて避難はしごへの浸水を防止するものである。
【００１２】
また、本発明の請求項６に係る避難はしご用収納ケースのように、上記ケース本体部の底板が、その表面との間に所定の距離をもって避難はしごを載置させる載置部を有しているのが好ましいものである。この場合、避難はしごは、底板の載置部に、底板表面との間に所定の距離をもって載置され、蓋部を装着されてケース本体部に収納されるものである。
【００１３】
また、本発明の請求項７に係る避難はしご用収納ケースのように、上記載置部を、上記避難はしごが箱体の背面側に向けて傾くように形成させるのが好ましいものである。この場合、避難はしごは、底板の載置部に、背面側に向けて傾くように載置されてケース本体部に収納されるものである。
【００１４】
また、本発明の請求項８に係る避難はしご用収納ケースのように、上記底板が、上記載置部を表面から浮かした状態にて固定させる固定突部を有しているのが好ましいものである。この場合、載置部が、底板表面から浮かした状態となるよう底板に設けられた固定突部に固定されるものである。
【００１５】
また、本発明の請求項９に係る避難はしご用収納ケースのように、上記固定突部を、上記底板に一体形成するとともに、上記載置部を係合させる係合孔を設けて、同載置部に、同係合孔に係合される被係合突部を設けるのが好ましいものである。この場合、避難はしごの載置部が、それに設けられた被係合突部を、底板に一体形成された固定突部に設けられている係合孔に係合されて設けられるものである。
【００１６】
【発明の実施の形態】
以下、本発明を実施形態に係る図面に基づいて詳しく説明する。
【００１７】
本発明の避難はしご用収納ケースは、図１ないし図９に示すごとく、避難時においては踏み台として利用できて、かつ、通常時には子供がいたずらで乗って遊んだりすることを防止するために、略直方体状をなした箱体１１があって、この箱体１１の内部に避難はしご１０を収納させる避難はしご用収納ケースにおいて、上記箱体１１の天板２１と、前板３を上下間にて分割して同天板２１に連接させた上部前板３１と、左右の側板４を上下間にて分割して同上部前板３１および上記天板２１に連接させた左右の上部側板４１とを少なくとも有する蓋部２と、同蓋部２が装着され、上記箱体１１の底板５１と、同底板５１に連接させた下部前板４２と、同下部前板４２および上記底板５１に連接させた左右の下部側板４２と、背板６とを有するケース本体部５とを設けているものである。
【００１８】
本発明の避難はしご用収納ケースは、避難時においては踏み台として利用することができて、かつ、通常時には子供がいたずらで乗って遊んだりすることを防止することができるという目的を達成するものである。そして、バルコニーやベランダなどの屋外への長期設置において、避難はしごがケース本体部に侵入した雨水などによって腐食することのないようにしながら、収納保管できるようにしたものである。
【００１９】
図１は、避難はしご用収納ケースの一実施例の外観図であって、（ａ）は正面図、（ｂ）は側面図である。この避難はしご用収納ケース１は、同図に示すように、約１ｍｍ程度の厚さをもった溶融亜鉛メッキ鋼板（ＳＧＣＣ板）を折曲し構成される略直方体状の箱体にて形成されるものである。すなわち、箱体を構成するもので、天板２１と、前板３を上下間にて分割して同天板２１に連接させた上部前板３１と、左右の側板４を上下間にて分割して同上部前板３１および上記天板２１に連接させた左右の上部側板４１とを少なくとも有する蓋部２と、同蓋部２が装着され、上記箱体の底板５１と、同底板５１に連接させた下部前板３２と、同下部前板３２及び上記底板５１に連接させた左右の下部側板４２と、背板６とを有するケース本体部５とを設けているものである。また、この場合、ケース本体部５の底板５１は、その表面との間に所定の距離をもって避難はしご１０を載置させる載置部７を有している。
【００２０】
このケース本体部５は、一体略Ｌ字状に形成される底板５１と背板６の前側に、下部側板４２、下部前板３２および下部側板４２が一体となた略コ字状のＳＧＣＣ板材料による折曲部材が溶接されており、また、蓋部２は、同様のＳＧＣＣ板材料による、上部側板４１、上部前板３１及び上部側板４１が一体となった略コ字状のＳＧＣＣ板材料による折曲部材の上側に、その周囲の所定幅をもった補強枠２１ａ、および後端に同補強枠２１ａより長い所定長さの垂れ板２１ｂを有して補強された天板２１が溶接されており、上記ケース本体部５にこの蓋部２を装着させた状態において全高が約７２０ｍｍの直方体の箱体となるものである。
【００２１】
また、この蓋部２は、上部側板４１、上部前板３１及び上部側板４１による略コ字状のＳＧＣＣ板材の全高を略４３０ｍｍにて形成してあり、この蓋部２をケース本体部５から取り除いて床等に載置させて天板２１位置を、８００ｍｍ〜１２００ｍｍ程度の高さの窓枠あるいはバルコニーを乗り越える踏み台として利用し易いようにしてある。なお、この蓋部２の上部前板３１の略中央位置には、避難はしごの収納されている避難はしご用収納ケース１である旨の表示ラベル９が貼着される。したがって、蓋部２を装着させた状態においてこの表示ラベル９が比較的使用者の目線近くに位置することとなり、緊急時においても使い勝手が良いものである。
【００２２】
また、ケース本体部５は、図１の（ｂ）および図３に示すように、この場合、背板６を、ケース本体部５へ上記蓋部２を装着させた状態における天板２１の後端位置まで延設させてあり、そして、背板６には、その平面上に補強と上記蓋部２を装着させる際に垂れ板２１ｂの先端の当たり部を兼ねた突部６１を後側に向けて長手方向にわたり３箇所設けてあるものである。このケース本体部５は、底板５１に、後述する載置部７を、図３に示すように、表面から浮かした状態にて固定させる固定突部５２が一体形成されており、固定突部５２の上面にその載置部７を係合させるスリット状の係合孔（図示せず）がそれぞれ打ち抜き形成されて、この固定突部５２より外側の裏面にゴム材料、あるいは合成樹脂材料製の複数個の脚部８を設けるための透孔５３が、底板５１の前側位置に水抜き孔５４がそれぞれ穿設されている。（図１参照）なお、上記背板６の前面には、上述したように、蓋部２を避難時の踏み台として利用することなどを示した使用上の注意事項を示したラベル６２が貼着される。したがって、蓋部２が取り除かれた状態においてこのラベル６２が比較的使用者の目線近くに位置することとなり、緊急時においても使い勝手が良いものである。
【００２３】
載置部７は、図３の（ｄ）に示すように、避難はしご１０を底板５１の表面との間に所定の距離をもって載置させるもので、例えば、ＳＧＣＣ板材料による一体の折曲部材として形成することができるものである。この載置部７は、図４に詳しく示すように、上板７１が、その両側縁の側板７２の下端に対して後方へ向けて傾斜するようになっており、また、この側板７２の下端前後には、上記スリット状の係合孔に係合されて載置部７を固着させる切片７４を先端に有した被係合突部７３が設けられているものである。したがって、上記避難はしご１０が、底板５１の載置部７に、底板５１の表面との間に所定の距離をもって、背面側に向けて傾くように載置されてケース本体部５に安定状態で、かつ、仮にケース本体部５の底部に雨水が溜まったときにおいて離隔可能な状態にて収納されるものである。
【００２４】
そして、図６および図７に示すごとく、上記天板２１の上端縁から下方に折曲する係止片２２を設けるとともに、この係止片２２が係合するように上記背板６の上端部を屈曲させて形成された凹段部２３を設けているものであると、天板２１の部分を傾けた状態で係止片２２を凹段部２３の方へセットすれば、蓋部２の自重により凹段部２３を起点として回転させることができて、結果として、ケース本体部５に対して蓋部２をきっちりと装着させることができるものとなる。
【００２５】
このように構成していることで、蝶番部品が不要となって、コストダウンに繋げているとともに、蝶番を採用した場合に箱体１１全体に塗装しようとしても、複雑な形状をした蝶番周辺では塗装がつきにくいといった問題がなくなるものである。また、図１０に示したように、蝶番による開閉蓋２６が採用されていた場合、この開閉蓋２６の開閉動作による軌道が同図の(ｂ）に示す軌道Ｘのように、常に同一になり、この開閉動作のすれによって塗装がはがれたり削れて、耐食性の劣化に繋がっていたものであるが、上述したように、上記天板２１の上端縁から下方に折曲する係止片２２を設けるとともに、この係止片２２が係合するように上記背板６の上端部を屈曲させて形成された凹段部２３を設けていることで、このような点も解消されるものである。
【００２６】
それから、図６および図８に示すごとく、上記背板６に壁との間に一定の隙間を確保する突部２４を設けているものであると、突部２４にて背板６と壁との間に一定の隙間を確保することができて、蓋部２の開閉の際のスペースとして確実に使用され、その結果、背板６と壁との間に隙間がなくて、蓋部２の開閉の軌道が壁にあたるために開蓋しにくくなるといった問題が解消され、ケース本体部５の内部に重量のある避難はしご１０が入っていて開蓋することができないといった問題も解消されるものである。
【００２７】
さらに、図８および図９に示すごとく、上記ケース本体部５の背板６側で上記蓋部２の左右端面が当接する部分には、もともと防水パッキンが設けられているが、特に、上記蓋部２の左右端面が当接する上記ケース本体部５の背板６側の左右縁部近傍に、同蓋部２、同ケース本体部５の当接面に対して交差する方向に起立して避難はしご１０への浸水を防止する浸水防止片２５を設けているものであると、蓋部２の左右端面が当接するケース本体部５の背板６側の左右縁部近傍が雨水などが浸水しやすいケース本体部５と蓋部２との合わせ部分にあたり、この部分に蓋部２、ケース本体部５の当接面に対して交差する方向に起立して浸水防止片２５を設けていることで、防水パッキンの防水性に加えて、避難はしご１０への浸水をより一層確実に防止できるものであり、万が一防水パッキンのところで浸水が生じたとしても、浸水防止片２５の存在により、避難はしご１０には雨水などの水がかからないようになり、結果として、防水パッキンと浸水防止片２５との二重の浸水防止により、避難はしご１０の腐食などが確実に抑制されるものである。
【００２８】
上記の避難はしご用収納ケース１においては、避難はしご１０の載置部７が、図３の（ｄ）に示すように、それに設けられた被係合突部７３を、底板５１に一体形成された固定突部５２に設けられている係合孔に係合されて設けられるものである。したがって、取り付けが容易であるとともに、載置部７を予め塗装や防錆用のメッキ処理をしておくことにて、ケース本体部５の外面、および、内面を塗装する際においても、底板５１の表面を確実に塗装作業を行うことができるものである。また、避難はしご用収納ケース１は、避難はしご１０が、底板５１からケース本体部５の天板２１の後端位置まで延設された背板６にて良好に支持されケース本体部５に収容されて、蓋部２を容易に装着させて、全高が約７２０ｍｍの直方体の箱体１１内に常時保管されるものである。すなわち、通常時においては、子供がいたずらで乗って遊んだりしようとしても、全高がある程度確保されているために、通常時には子供が箱体に乗ることはできず、いたずらで乗って遊んだりするのを防止することができるものである。そして、蓋部２を取り外すことも容易となるのである。
【００２９】
また、上記の避難はしご用収納ケース１の内部から避難はしご１０を取り出すにあたっては、略直方体状をもった避難はしご用収納ケース１の、箱体１１の底板５１と、前板３を上下間にて分割して同底板５１に連接させた下部前板３２と、左右の側板４を上下間にて分割し同下部前板３２および上記底板５１に連接させた左右の下部側板４２と、背板６とを有するケース本体部５から、天板２１と、上部前板３１と、同上部前板３１および上記天板２１に連接させた左右の上部側板４１とを少なくとも有する蓋部２が取り除かれて、図５に示すように、ケース本体部５の内部に収納された避難はしご１０が、８００ｍｍ〜１２００ｍｍ程度の高さの窓枠あるいはバルコニーの手すりに懸架させて蓋部２を踏み台として使用されるものである。このようにして、窓枠あるいはバルコニーの手すり高さが高くて乗り越えにくい場合においても蓋部２を踏み台として利用して避難することが可能となるのである。
【００３０】
したがって、以上説明した避難はしご用収納ケース１によると、略直方体状をもった避難はしご用収納ケース１の、箱体１１の底板５１と、前板３を上下間にて分割して同底板５１に連接させた下部前板３２と、左右の側板４を上下間にて分割し同下部前板３２および上記底板５１に連接させた左右の下部側板４２と、背板６とを有するケース本体部５から、天板２１と、上部前板３１と、同上部前板３１および上記天板２１に連接させた左右の上部側板４１とを少なくとも有する蓋部２が取り除かれて、内部に収納された避難はしごが使用されるので、避難時においては踏み台として利用することができて、かつ、通常時には子供がいたずらで乗って遊んだりするのを防止することができるものである。
【００３１】
そして、避難はしご１０は、底板５１からケース本体部５の天板２１の後端位置まで延設された背板６をもったケース本体部５に収容されて蓋部２を装着されるので、安定状態にケース本体部５内に収納できて、また、底板５１の載置部７に、底板５１の表面との間に所定の距離をもって載置されており、仮にケース本体部５の底部に雨水が溜まったときにおいて離隔可能な状態にて収納できるものである。
【００３２】
また、避難はしご１０は、底板５１の載置部７に、背面側に向けて傾くように載置されてケース本体部５に収納されるので、より安定状態にケース本体部５内に収納させることができて、しかも、載置部７が、底板５１の表面から浮かした状態となるよう底板５１に設けられた固定突部５２に固定されるので、避難はしご用収納ケース１を設置するバルコニーやベランダなどの床面から、載置部７の被係合突部７３がより離隔することとなり、仮に当該床面に長期間にわたって雨水が溜まった状態であっても、その部分が腐食しにくくなり、ケース本体部５の底部に雨水が僅かに溜まったときにおいても離隔できて腐食しにくくなるものである。さらに、避難はしご１０の載置部７が、それに設けられた被係合突部７３を、底板５１に一体形成された固定突部５２に設けられている係合孔に係合されて設けられるので、ケース本体部５を容易に組み立てできるものである。
【００３３】
【発明の効果】
以上説明したように、本発明の避難はしご用収納ケースは、略直方体状をもった避難はしご用収納ケースの、箱体の底板と、前板を上下間にて分割して同底板に連接させた下部前板と、左右の側板を上下間にて分割し同下部前板及び前記底板に連接させた左右の下部側板と、背板とを有するケース本体部から、天板と、上部前板と、同上部前板及び前記天板に連接させた左右の上部側板とを少なくとも有する蓋部が取り除かれ、内部に収納された避難はしごが使用されるために、箱体の全高を比較的高く形成させても、蓋部は取り外した後、床面などにおいて踏み台として利用できるので、避難時においては踏み台として利用することができて、かつ、箱体の全高がある程度確保されているために、通常時には子供が箱体に乗ることはできず、いたずらで乗って遊んだりするのを防止することができるものである。
【００３４】
また、避難はしごは、底板の載置部に、背面側に向けて傾くように載置されてケース本体部に収納されるので、より安定状態にケース本体部内に収納させることができ、底板の載置部に、底板表面との間に所定の距離をもって載置され、蓋部を装着されてケース本体部に収納されるので、仮にケース本体部底部に雨水が溜まったときにおいて離隔可能な状態にて収納できるものである。
【００３５】
さらに、載置部の被係合突部が、避難はしご用収納ケースを設置するバルコニーやベランダ等の床面からより離隔することとなり、仮に当該床面に長期間にわたって雨水が溜まった状態であっても固定部分が腐食しにくくなり、ケース本体部底部に雨水が僅かに溜まったときにおいても離隔できて腐食しにくくなって、バルコニーやベランダなどの屋外に設置しても、長期にわたって避難はしごや載置部に錆を発生させることなく使用させることができるものである。
【００３６】
そして、天板の上端縁から下方に折曲する係止片を設けるとともに、この係止片が係合するように上記背板の上端部を屈曲させて形成された凹段部を設けているものであるので、天板の部分を傾けた状態で係止片を凹段部の方へセットすれば、蓋部の自重により凹段部を起点として回転させることができて、結果として、ケース本体部に対して蓋部をきっちりと装着させることができるものとなる。
【００３７】
それから、上記背板に壁との間に一定の隙間を確保する突部を設けているものであると、突部にて背板と壁との間に一定の隙間を確保することができて、蓋部の開閉の際のスペースとして確実に使用され、その結果、背板と壁との間に隙間がなくて、蓋部の開閉の軌道が壁にあたるために開蓋しにくくなるといった問題が解消され、ケース本体部の内部に重量のある避難はしごが入っていて開蓋することができないといった問題も解消されるものである。
【００３８】
その上、上記蓋部の左右端面が当接する上記ケース本体部の背板側の左右縁部近傍に、同蓋部、同ケース本体部の当接面に対して交差する方向に起立して避難はしごへの浸水を防止する浸水防止片を設けているものであると、蓋部の左右端面が当接するケース本体部の背板側の左右縁部近傍が雨水などが浸水しやすいケース本体部と蓋部との合わせ部分にあたり、この部分に蓋部、ケース本体部の当接面に対して交差する方向に起立して浸水防止片を設けていることで、防水パッキンの防水性に加えて、避難はしごへの浸水をより一層確実に防止できるものであり、万が一防水パッキンのところで浸水が生じたとしても、浸水防止片の存在により、避難はしごには雨水などの水がかからないようになり、結果として、防水パッキンと浸水防止片との二重の浸水防止により、避難はしごの腐食などが確実に抑制されるものである。
【図面の簡単な説明】
【図１】本発明の避難はしご用収納ケースの一実施形態の外観図であって、（ａ）は正面図、（ｂ）は側面図である。
【図２】同避難はしご用収納ケースの蓋部を示し、（ａ）は正面図、（ｂ）は側面図である。
【図３】同避難はしご用収納ケースのケース本体部を示し、（ａ）は正面図、（ｂ）は側面図、（ｃ）は平面図、（ｄ）は避難はしごを同時に示した側面断面図である。
【図４】同避難はしご用収納ケースの載置部の斜視図である。
【図５】同避難はしご用収納ケースの一使用状態を示す説明図である。
【図６】本発明の避難はしご用収納ケースの他の一実施形態の外観図であって、（ａ）は背面図、（ｂ）は断面図である。
【図７】図６の避難はしご用収納ケースの要部断面図である。
【図８】本発明の避難はしご用収納ケースで蓋部を取り外したさらに他の一実施形態に係る外観図であって、（ａ）は正面図、（ｂ）は断面図である。
【図９】図８の避難はしご用収納ケースの要部正面図である。
【図１０】本発明の避難はしご用収納ケースを説明するための概略図であり、従来から存在する避難はしご用収納ケースの（ａ）は正面図、（ｂ）は側面図である。
【図１１】本発明の従来例である避難はしご用収納ケースを示す説明図である。
【符号の説明】
１    避難はしご用収納ケース
１０  避難はしご
１１  箱体
２    蓋部
２１  天板
２２  係止片
２３  凹段部
２４  突部
２５  浸水防止片
３    前板
３１  上部前板
３２  下部前板
４    側板
４１  上部側板
４２  下部側板
５    ケース本体部
５１  底板
６    背板
７    載置部
【図１】
0003931687.tif 000002
【図２】
0003931687.tif 000003
【図３】
0003931687.tif 000004
【図４】
0003931687.tif 000005
【図５】
0003931687.tif 000006
【図６】
0003931687.tif 000007
【図７】
0003931687.tif 000008
【図８】
0003931687.tif 000009
【図９】
0003931687.tif 000010
【図１０】
0003931687.tif 000011
【図１１】
0003931687.tif 000012